(57)【要約】【課題】インキタンク及びセンサーの洗浄時間を短縮されるとともに、洗浄液が作業場での洗浄液の逸散を防止し、さらに、１回きりの洗浄液の大量使用を無くして作業環境を改善し、かつ、火災が発生を回避する。【解決手段】平面視矩形状の洗浄槽２の短辺の一端部に洗浄液溜り部２ａを設け、前記洗浄液溜り部２ａに向けて所定の角度で傾斜した洗浄槽底面部2ｂを前記洗浄槽２の短辺の他端部から延設、前記洗浄槽底面部２ｂから流下した洗浄液Ｌを前記洗浄液溜り部２ｂに溜め,かつ、インキ洗浄台１で濾過しながら循環するように構成したことを特徴とするデジタル印刷機用インキ洗浄台に関する。【選択図】図１
2015225116.tif 000002
【特許請求の範囲】
【請求項１】
平面視矩形状の洗浄槽の短辺の一端部に洗浄液溜り部を設け、前記洗浄液溜り部に向けて所定の角度で傾斜した洗浄槽底面部を前記洗浄槽の短辺の他端部から延設し、前記洗浄槽底面部から流下した洗浄液を前記洗浄液溜り部に溜めるよう構成したことを特徴とするデジタル印刷機用インキ洗浄台。
【請求項２】
前記洗浄液溜り部の前記洗浄槽の長手方向の流出端にフィルタを設け、前記濾過器の下流側に前記洗浄液溜り部内の洗浄液を洗浄液吸引パイプを介して吸引する電動ポンプを設けるとともに、前記フィルタで１次濾過した清浄な洗浄液を洗浄液供給パイプを介して前記洗浄槽に循環することを特徴とする請求項１に記載のデジタル印刷機用インキ洗浄台。
【請求項３】
前記電動ポンプの下流側に、さらに、フィルタを設け、洗浄液の１次濾過に加えて洗浄液の２次濾過を行うようにしたことを特徴とする請求項２に記載のデジタル印刷機用インキ洗浄台。
【請求項４】
前記洗浄槽底面部の所定の傾斜角が、２度から４度の範囲内であること特徴とする請求項１に記載のデジタル印刷機用インキ洗浄台。
【請求項５】
前記洗浄液が、イメージングオイルであること特徴とする請求項１に記載のデジタル印刷機用インキ洗浄台。
【請求項６】
清浄な洗浄液が、前記洗浄液供給パイプを介して前記洗浄液供給パイプの先端に取り付けられた洗浄ブラシにより前記洗浄槽に吐出・循環され、さらに洗浄液の使用量を削減できること特徴とする請求項２に記載のデジタル印刷機用インキ洗浄台。
【請求項７】
前記洗浄槽の底面部の四隅部に脚部が鉛直方向に設けられ、前記脚部の下端部にキャスターが設けられること特徴とする請求項２に記載のデジタル印刷機用インキ洗浄台。
【発明の詳細な説明】
【技術分野】
【０００１】
本発明は、デジタル印刷機用インキ洗浄台に係り、特に、デジタル印刷機のインキタンク及びセンサー部に付着したインキを、イメージングオイルをインキ洗浄台の中を循環させて洗浄するデジタル印刷機用インキ洗浄台に関する。
【背景技術】
【０００２】
デジタル印刷機とは、製版機構と印刷機構とが一体化されて構成された印刷装置であって、製版と印刷とが、同じ印刷機で行えるものである。
【０００３】
例えば、ヒューレットーパッカード（ＨＰ）社のＨＰＩｎｄｉｇｏ ｐｒｅｓｓ ３０００，５０００、７０００及びＷＳ４０００，ＷＳ６０００シリーズのデジタル印刷機では、フォトイメージングプレート（ＰＩＰ）の周囲に配置された複数の画像形成プロセスに使用するユニット（ＢＩＤ）に、複数の異なる色のインキを収容したインキタンクを設け、フォトイメージングプレートの回転中に、ＢＩＤからＰＩＰユニットのドラムにインキタンクからインキを供給して付着させ印刷を行うようにしてある。
【０００４】
そして、インキタンクに設けたセンサーによりインキタンク内のインキの濃度を検出してイメージングオイルによりインキの濃度調整を行うようになっている。また、定期的にインキタンク及びセンサーをＢＩＤから取り外して、デジタル印刷機の近傍の床面で人手によりインキタンク及びセンサーの洗浄液により洗浄していた。
【先行技術文献】
【特許文献】
【０００５】
【特許文献１】特表２００７−５１０１８５号公報
【発明の概要】
【発明が解決しようとする課題】
【０００６】
しかしながら、この種の従来のデジタル印刷機のインキタンク及びセンサーの洗浄をする際には、ＢＩＤから取り外したインキタンク及びセンサーを、デジタル印刷機近傍の作業場の床面に適当なシートを敷いて大きなバケツを載置してその中に置き、作業者がブラシ等の洗浄具を用い、イメージングオイルをインキタンク及びセンサーの表面に人手により滴下して、これらに付着したインキの洗浄を行っていた。
【０００７】
しかしながら、このような作業者による手作業では、例えば、インキタンク１セットの洗浄に、約２０分の長時間を要するとともに、イメージングオイルを１回しか使用できず、また、大量（１６〜２０リットル）に使用し、作業環境を悪化させ、また、火災が発生するおそれがある、とする問題点があった。
【課題を解決するための手段】
【０００８】
そこで、上記した問題点を解決するために、本発明のデジタル印刷機用インキ洗浄台では平面視矩形状の洗浄槽の短辺の一端部に洗浄液溜り部を設け、前記洗浄液溜り部に向けて所定の角度で傾斜した洗浄槽底面部を前記洗浄槽の短辺の他端部から延出して設け、傾斜した前記洗浄槽底面部から流下した洗浄液を前記洗浄液溜り部に溜めるよう構成したことを特徴とする。
【０００９】
また、本発明のデジタル印刷機用インキ洗浄台では、前記洗浄液溜り部の前記洗浄槽の長手方向の流出端にフィルタを設け、前記フィルタの下流側に前記洗浄液溜り部内の洗浄液を洗浄液吸引パイプを介して吸引する電動ポンプを設けるとともに、前記フィルタで１次濾過した清浄な洗浄液を洗浄液供給パイプを介して前記洗浄槽に循環することを特徴とする。
【００１０】
さらに、前記電動ポンプの下流側に、さらに、フィルタを設け、洗浄液の１次濾過に加えて洗浄液の２次濾過を行うようにしたことを特徴とする。
【００１１】
ここで、前記洗浄槽底面部の所定の傾斜角が、２度から４度の範囲内であること特徴とする。
【００１２】
また、前記洗浄液が、イメージングオイルであること特徴とする。  
本発明のデジタル印刷機用インキ洗浄台では、清浄な洗浄液が、前記洗浄液供給パイプを介して前記洗浄液供給パイプの先端に取り付けられた洗浄ブラシにより前記洗浄槽に吐出・循環され、さらに、洗浄液の使用量を減らせること特徴とする。
【００１３】
前記洗浄槽の底面部の四隅部に脚部が鉛直方向に設けられ、前記脚部の下端部にキャスターが設けられること特徴とする。
【発明の効果】
【００１４】
インキタンク及びセンサーの洗浄時間が大幅に短縮されるとともに、洗浄液が作業場に逸散されず、清浄化されて繰り返して使用できるので、作業環境が改善され、また、火災が発生するおそれがなくなる。
【図面の簡単な説明】
【００１５】
【図１】本発明のデジタル印刷機用インキ洗浄台の一部破断正面図である。
【図２】図１に示した本発明のデジタル印刷機用インキ洗浄台の側面図である。
【図３】図１に示した本発明のデジタル印刷機用インキ洗浄台に設けた上部フィルターの正面図である。
【図４】図１に示した本発明のデジタル印刷機用インキ洗浄台の洗浄部の斜視図である。
【図５】図１に示した本発明のデジタル印刷機用インキ洗浄台の洗浄液の循環回路図である。
【発明を実施するための形態】
【００１６】
以下、本発明のデジタル印刷機用インキ洗浄台の実施例を添付した図面に基づいて説明する。
【００１７】
図１及び図２に示すように、本発明のデジタル印刷機用インキ洗浄台１は、洗浄液Ｌとして使用する、印刷に用いるインキに馴染みやすく、かつ、安価なイメージングオイルをインキ洗浄台１内を循環させて溜める洗浄槽２の短辺方向の幅方向に液溜り部２ａ（約９リットルのイメージングオイルを貯留可能）を洗浄液の流出端に設ける。そして、この流出端に向けて所定の角度θ、例えば、２度から４度の範囲、最適傾斜度は３度、で傾斜させた洗浄槽底面部２ｂを延出して設けた平面視矩形状の洗浄槽２を構成する。
【００１８】
また、洗浄槽２の長手方向側面の一端に、連結ピン４と安全板５を介して回動・開閉自在に取り付けられた上蓋３と、洗浄槽２を床面に移動自在に載置する４本の床面に垂直方向に脚部８を、洗浄槽２の底面部の四隅部に設ける。
【００１９】
ここで、洗浄槽２は、それぞれの脚部８の下端部に回動自在に設けられたキャスター９により作業場の床面を移動自在に構成されている。そのため、上蓋３は、万が一、作業場で火災等が発生しても、図示しないダンパーが熱によって解除され、自動的に閉まるようになっている。また、図示しない排液栓を液溜り部２ａの底面に設けて、液溜り部２ａ中の洗浄液を適宜インキ洗浄台１の外に排出できるようになっている。
【００２０】
さらに、上述した図１及び図２に図５を加えて、本発明のデジタル印刷機用インキ洗浄台１の構成を説明すると、前記洗浄液溜り部２ａ内のイメージングオイルからなる洗浄液Ｌ中に浸漬されるように配置した上部フィルタ（液体濾過器）６を洗浄槽２の長手方向の流出端に対向した内壁に設け、上部フィルタ６に近接して設けた電動ポンプ１０により洗浄液溜り部２ａ内に溜った洗浄液Ｌを上部フィルタ６の細孔（ストレーナ）６ａから吸引する。そして、上部フィルタ６に内蔵した濾過材により洗浄液を１次濾過し、さらに、洗浄液溜り２ａの直下に設けられた脚部８に固着した下部フィルタ７に内蔵した濾過材により、さらに洗浄液を２次濾過する。
【００２１】
次いで、洗浄ブラシ２ｄに洗浄液供給パイプ２ｃから濾過した清浄な洗浄液を供給し、洗浄ブラシ２ｄの先端から清浄化された洗浄液（イメージングオイル）を吐出して、インキ洗浄台１内でインキタンクとセンサーの洗浄を行い、これらに付着したインキ等を除去するようになっている。
【００２２】
ここで、電動ポンプ１０は、図５に示すように、電動ポンプ１０の電動モータ１１を、電動モータ１１の電気回路に設けた電源スイッチ１２を閉じて回転駆動させるようになっている。なお、この電動モータ１１に可変速電動モータを用いて、洗浄ブラシ２ｄから吐出する洗浄液の吐出量を調節するようにしてもよい。
【００２３】
ここで、図３に示すように、上部フィルタ６の洗浄液溜り２ａに対向した下端部に複数の細孔（ストレーナ）６ａが形成されて洗浄液溜り２ａ内の溜められた洗浄に使用された洗浄液の上部フィルタ６への吸引を容易にしている。
【００２４】
また、図４に図示するように、洗浄液溜り２ａ内の洗浄に使用した洗浄液（イメージングオイル）は、上部フィルタ６に設けた細孔６ａから吸引され濾過後、上部フィルタ６の側面に接続された洗浄液供給パイプ２ｃから下部フィルタ７（図１参照）に送られ、濾過後、洗浄槽２の短辺の側壁に接続した洗浄液供給パイプ２ｃから洗浄ブラシ２ｄへ供給される。
【００２５】
次に、本発明のデジタル印刷機用インキ洗浄台の洗浄液の循環回路図を示す図５に基いて、本発明のデジタル印刷機用インキ洗浄台を用いたデジタル印刷機のインキタンクとこれに設けたセンサーの洗浄方法を説明する。
【００２６】
まず、デジタル印刷機本体から取り外したインキタンクとセンサーとを洗浄槽２の傾斜した洗浄槽底面２ｂ上に載置し、清浄な洗浄液（イメージングオイル）Ｌを洗浄ブラシ２ｄから吐出させてインキタンクとセンサーの洗浄を行う。ここで、洗浄に用いた洗浄液Ｌは、洗浄槽底面２ｂの傾斜面（最適な傾斜角θは３度）を重力により流下し、洗浄槽２の下流端に設けた洗浄液溜り２ａ内に一端溜められる。
【００２７】
次いで、洗浄液溜り２ａ内に一端溜められた使用済みの洗浄液（イメージングオイル）Ｌは、電源スイッチ１２を閉じ電気回路をＯＮにして電動モータ１１を回転させて電動ポンプ１０を駆動させることにより上部フィルタ６の細孔（ストレーナー）６ａから吸引され一次濾過され、洗浄液吸引パイプ２ｅに送られる。
【００２８】
その後、一次濾過された洗浄液（イメージングオイル）Ｌは、洗浄液循環パイプ１３ａを経て下部フィルタ７に送られて二次濾過され、洗浄液循環パイプ１３ｂを経て洗浄液供給パイプ２ｃに送られて、最後に清浄化された洗浄液Ｌとして、洗浄ブラシ２ｄから洗浄槽２内に吐出される。本発明のデジタル印刷機用インキ洗浄台では、このように洗浄液Ｌの循環を行うようになっている。
【００２９】
このように構成され、かつ、機能する本発明のデジタル印刷機用インキ洗浄台によれば、電動ポンプ１０を駆動させることにより、洗浄液（イメージングオイル）がインキ洗浄台１の中を循環し、洗浄ブラシ２ｄから洗浄槽２内に吐出されるので、インキタンクとセンサーの洗浄の作業効率が大幅に向上する。  
【００３０】
例えば、本発明者の実証試験によると、インキタンクとセンサー１セットで、従来の約２０分から約１０分に作業時間が短縮された。
【００３１】
さらに、洗浄液（イメージングオイル）は、上部フィルタ及び下部フィルタにより、一次及び二次濾過されてから洗浄ブラシ２ｄに送られてインキタンク及びセンサの洗浄に用いられるので、常に清浄な洗浄液（イメージングオイル）によりインキタンクとセンサーの洗浄が行われるようになる。
【００３２】
また、万が一、作業場で火災が発生しても、ダンパーが熱によって解除され、インキ洗浄台１の上蓋３が自動的に閉まるので作業場の安全が確保できる。さらに、インキ洗浄台１の下面に設けた４本の脚部８の下端部に、キャスター９が設けられているので、インキ洗浄台１を所望の場所に容易に移動することができる。
【符号の説明】
【００３３】
１      デジタル印刷機用インキ洗浄台
２      洗浄槽
２ａ    洗浄液溜り部
２ｂ    洗浄槽底面部
２ｃ    洗浄液供給パイプ
２ｄ    洗浄ブラシ
２ｅ    洗浄液吸引パイプ
３      上蓋
４      連結ピン
５      安全板
６      上部フィルタ
６ａ    濾過孔
７      下部フィルタ
８      脚部
９      キャスター
１０    電動ポンプ
１１    電動モータ
１２    電源スイッチ
１３ａ  洗浄液循環パイプ
１３ｂ  洗浄液循環パイプ
θ      洗浄槽底面の傾斜角
Ｌ      洗浄液
【図１】
2015225116.tif 000003
【図２】
2015225116.tif 000004
【図３】
2015225116.tif 000005
【図４】
2015225116.tif 000006
【図５】
2015225116.tif 000007